(57)【要約】【課題】優れた寸法精度を有する切削加工品を製作することができる切削加工用アルミニウム合金押出材及びアルミニウム合金製切削加工品を提供すること。【解決手段】この発明の切削加工用アルミニウム合金押出材１は、押出加工後の組織において、全面微細な再結晶組織を有している。さらに、この押出材１は、Ｓｉ：０．３〜１．０質量％、Ｆｅ：０．３５質量％以下、Ｃｕ：０．１〜０．５質量％、Ｍｎ：０．０７質量％以下、Ｍｇ：０．６〜１．５質量％、Ｃｒ：０．１０質量％以下、Ｚｎ：０．３０質量％以下、Ｔｉ：０．２０質量％以下を含有し、残部Ａｌ及び不純物からなる。この押出材１を切削加工することにより、優れた寸法精度を有する切削加工品を製作することができる。【選択図】      図１
2004292847.tif 000002
【特許請求の範囲】
【請求項１】
押出加工後の組織において、全面微細な再結晶組織を有し、且つ、
Ｓｉ：０．３〜１．０質量％、
Ｆｅ：０．３５質量％以下、
Ｃｕ：０．１〜０．５質量％、
Ｍｎ：０．０７質量％以下、
Ｍｇ：０．６〜１．５質量％、
Ｃｒ：０．１０質量％以下、
Ｚｎ：０．３０質量％以下、
Ｔｉ：０．２０質量％以下
を含有し、残部Ａｌ及び不純物からなることを特徴とする切削加工用アルミニウム合金押出材。
【請求項２】
結晶粒が最大粒径２ｍｍ以下及び平均粒径１ｍｍ以下である請求項１記載の切削加工用アルミニウム合金押出材。
【請求項３】
押出加工後に引抜加工が施された請求項１又は２記載の切削加工用アルミニウム合金押出材。
【請求項４】
Ｍｎ：０．０４質量％以下、Ｃｒ：０．０７質量％以下を含有している請求項１〜３のいずれか１項記載の切削加工用アルミニウム合金押出材。
【請求項５】
Ｆｅ：０．２質量％以下を含有している請求項４記載の切削加工用アルミニウム押出材。
【請求項６】
請求項１〜５のいずれか１項記載の押出材が切削加工されることにより、製作されていることを特徴とするアルミニウム合金製切削加工品。
【請求項７】
請求項１〜５のいずれか１項記載の押出材が切削加工されることにより、製作されていることを特徴とする自動車部品用バルブ材。
【発明の詳細な説明】
【０００１】
【発明の属する技術分野】
この発明は、切削加工用アルミニウム合金押出材、アルミニウム合金製切削加工品及び自動車部品用バルブ材に関し、詳述すると、優れた寸法精度を有する切削加工品を製作することのできる切削加工用アルミニウム合金押出材、これを用いて製作されたアルミニウム合金製切削加工品、及び自動車部品用バルブ材に関する。
【０００２】
【従来の技術】
例えば自動車部品や電機部品等の機械部品は、高効率化や省エネ化の要求により、鉄系材料ではなくアルミニウム合金によって製作することが検討されている。このような機械部品のうち、切削加工により製作される部品は、切屑分断性の改善等のために、従来、Ｐｂ（鉛）等の低融点金属元素を含有したアルミニウム合金から製作されていた。
【０００３】
しかるに、Ｐｂを含有したアルミニウム合金は、Ｐｂによる環境汚染を防止するために、将来的にその使用が禁止される方向にある。そのため、様々な種類のアルミニウム合金のうちＰｂを含有していないものとして、ＪＩＳ  Ａ６０６１のアルミニウム合金が用いられてきており、特に製造コストを引き下げるために、その押出材が切削加工用素材として用いられている（例えば、特許文献１参照。）。
【０００４】
ところで、一般的に切削加工用押出材は、全面微細な再結晶組織を有していることが、切削加工品の寸法精度を向上させ得るようになる点で、望ましい。そのため、押出材がＪＩＳ  Ａ６０６１のアルミニウム合金押出材である場合には、押出材が全面微細な再結晶組織を有するものとなるように、従来、この押出材に対してその押出加工後に引抜加工→焼入加工→引抜加工の順に加工を施し、その度必要し応じて矯正加工→エージングの順に加工を施していた。すなわち、押出材に２回の引抜加工を施していた。
【０００５】
【特許文献１】
特開平１１−３２３４７２号公報（請求項１）
【０００６】
【発明が解決しようとする課題】
而して、上述したように、従来では、ＪＩＳ  Ａ６０６１のアルミニウム合金押出材に２回の引抜加工を施していたので、押出材に施す加工工程が複雑であり、製造コストが高く付いていた。
【０００７】
この発明は、上述した技術背景に鑑みてなされたもので、その目的は、優れた寸法精度を有する切削加工品を製作することができる上、加工工程を簡素化することができる切削加工用アルミニウム合金押出材、これを用いたアルミニウム合金製切削加工品及び自動車部品用バルブ材を提供することにある。
【０００８】
【課題を解決するための手段】
上記目的を達成するため、本発明は、以下の手段を提供する。
【０００９】
［１］  押出加工後の組織において、全面微細な再結晶組織を有し、且つ、Ｓｉ：０．３〜１．０質量％、Ｆｅ：０．３５質量％以下、Ｃｕ：０．１〜０．５質量％、Ｍｎ：０．０７質量％以下、Ｍｇ：０．６〜１．５質量％、Ｃｒ：０．１０質量％以下、Ｚｎ：０．３０質量％以下、Ｔｉ：０．２０質量％以下を含有し、残部Ａｌ及び不純物からなることを特徴とする切削加工用アルミニウム合金押出材。
【００１０】
［２］  結晶粒が最大粒径２ｍｍ以下及び平均粒径１ｍｍ以下である前項１記載の切削加工用アルミニウム合金押出材。
【００１１】
［３］  押出加工後に引抜加工が施された前項１又は２記載の切削加工用アルミニウム合金押出材。
【００１２】
［４］  Ｍｎ：０．０４質量％以下、Ｃｒ：０．０７質量％以下を含有している前項１〜３のいずれか１項記載の切削加工用アルミニウム合金押出材。
【００１３】
［５］  Ｆｅ：０．２質量％以下を含有している前項４記載の切削加工用アルミニウム押出材。
【００１４】
［６］  前項１〜５のいずれか１項記載の押出材が切削加工されることにより、製作されていることを特徴とするアルミニウム合金製切削加工品。
【００１５】
［７］  前項１〜５のいずれか１項記載の押出材が切削加工されることにより、製作されていることを特徴とする自動車部品用バルブ材。
【００１６】
ここで、本発明者が本発明を完成するに至った経緯について説明する。
【００１７】
本発明者は、ＪＩＳ  Ａ６０００系合金の押出材を切削加工すると、切削加工品の寸法バラツキが大きくなる原因について、様々な研究調査を行った。その調査の具体例を示すと、次のとおりである。
【００１８】
すなわち、ＪＩＳ  Ａ６０００系合金の押出材を準備し、該押出材の組織と切削加工性との関係、及び該押出材の組織と切削加工品の寸法バラツキとの関係について、それぞれ調査した。その結果、押出材の横断面において再結晶組織と繊維組織とが非対称に混在している場合には、切削加工品の寸法バラツキが大きくなること判明した。これとは反対に、押出材の組織がその横断面全面に亘って微細な再結晶組織になっている場合には、切削加工品の寸法バラツキが小さくなることが判明した。さらに、押出材の組織をこのような組織にするためには、アルミニウム合金に含有される複数の元素を所定の含有率に設定すれば良いことが判明した。しかも、この場合には、押出材に施す加工工程を簡素化できることが判明し、もって本発明を完成させた。
【００１９】
次に、上記各項の発明について説明する。
【００２０】
［１］の発明では、アルミニウム合金の化学成分において、Ｓｉ（ケイ素）、Ｆｅ（鉄）、Ｃｕ（銅）、Ｍｎ（マンガン）、Ｍｇ（マグネシウム）、Ｃｒ（クロム）、Ｚｎ（亜鉛）及びＴｉ（チタン）の含有率がそれぞれ所定の範囲に設定されることにより、押出材がその横断面全面に亘って微細な再結晶組織を有するものとなる。これにより、切削加工品の寸法バラツキが小さくなる。
【００２１】
また、［１］の発明に係る押出材は、押出加工後の組織において、すでにその横断面全面に亘って微細な再結晶組織を有していることから、この押出材に施す加工工程数を減らすことができる。すなわち、この押出材に施す加工工程について具体的に例示すると、この押出材には、通常、押出加工後に、引抜加工を施し、その必要に応じて矯正加工→エージングの順に加工が施される。したがって、この押出材によれば、従来では押出加工後に引抜加工→焼入加工→引抜加工、その後必要に応じて矯正加工→エージングの順に施していた押出材への加工のうち、１回の引抜加工と焼入加工とを省略することができる。そのため、加工工程を簡素化することができて、製作コストを引き下げることができる。
【００２２】
なお本発明において、押出材の形状は限定されるものではない。押出材の具体的な形状としては、棒状（例えば丸棒状、角棒状）、筒状（例えば円筒状、角筒状）、管状（例えば円管状、角管状）、板状（例えば平板状）が例示される。
【００２３】
［２］の発明では、結晶粒が最大粒径２ｍｍ以下及び平均粒径１ｍｍ以下であることにより、切削加工品の寸法バラツキを更に小さくすることができる。
【００２４】
なお、［２］の発明において、結晶粒は最大粒径１ｍｍ以下及び平均粒径５００μｍ以下であることが特に望ましい。
【００２５】
［３］の発明では、押出加工後に引抜加工が施されることにより、押出材の組織をその横断面全面に亘って確実に微細な再結晶組織にすることができる。そのため、切削加工品の寸法バラツキを確実に小さくすることができる。なお、この押出材には、通常、引抜加工後に矯正加工及びエージング加工が順に施される。
【００２６】
［４］の発明では、Ｍｎ及びＣｒ含有率がそれぞれ所定の範囲に設定されることにより、押出材の組織をその横断面全面に亘って更に確実に微細な再結晶組織にすることができる。これにより、切削加工品の寸法バラツキを更に確実に小さくすることができる。
【００２７】
［５］の発明では、Ｆｅ含有率が所定の値に設定されることにより、押出材の組織をその横断面全面に亘ってより一層確実に微細再結晶組織にすることができる。そのため、切削加工品の寸法バラツキをより一層確実に小さくすることができる。
【００２８】
［６］の発明では、優れた寸法精度を有する切削加工品を得ることができる。
【００２９】
なお、［６］の発明において、切削加工品の種類や形状は限定されるものではなく、切削加工品の種類として、例えば、トランスミッション用バルブ材等の自動車部品、コネクタ材等の電気部品、光学機器の筒材等の機械部品をはじめ、様々の種類の部品や部材が挙げられる。また、切削加工品の形状具体的な形状としては、棒状（例えば丸棒状、角棒状）、筒状（例えば円筒状、角筒状）、管状（例えば円管状、角管状）、板状（例えば平板状）が例示される。また、切削加工手段は限定されるものでなく、切削加工手段として、旋削加工、平削り加工、フライス削り加工、穴開け加工、研削加工等の様々な切削加工が用いられる。
【００３０】
［７］の発明では、優れた寸法精度を有する自動車部品用バルブ材を得ることができる。
【００３１】
【発明の実施の形態】
次に、本発明の好ましい実施形態の一例を図面を参照して説明する。
【００３２】
図１は、本発明の一実施形態に係る切削加工用アルミニウム合金押出材（１）の斜視図である。図２は、前記押出材（１）が切削加工されることにより、製作された棒状切削加工品（２）の斜視図である。この切削加工品（２）は、自動車部品用バルブ材として、自動車のトランスミッション用スプール弁に用いられるものである。
【００３３】
押出材（１）は、図１に示すように、所定の長さを有する棒状（詳述すると長尺な丸棒状）に形成されている。
【００３４】
この押出材（１）の製造方法について説明すると、次のとおりである。
【００３５】
まず、押出用ビレットを鋳造により製造する。次いで、このビレットに均質化処理を施す。次いで、このビレットを押出機のコンテナに装填し、押出加工を行うことにより、前記押出材（１）を得る。その後、この押出材（１）に引抜加工、矯正加工及びエージングを順に施す。なお本発明では、押出材（１）の加工方法は、上述した方法に限定されるものではない。
【００３６】
本発明では、この押出材（１）の構成材料であるアルミニウム合金の化学成分において、Ｓｉ、Ｆｅ、Ｃｕ、Ｍｎ、Ｍｇ、Ｃｒ、Ｚｎ及びＴｉの含有率をそれぞれ下記の範囲に設定する。
【００３７】
Ｓｉ：０．３〜１．０質量％
Ｆｅ：０．３５質量％以下
Ｃｕ：０．１〜０．５質量％
Ｍｎ：０．０７質量％以下
Ｍｇ：０．６〜１．５質量％
Ｃｒ：０．１０質量％以下
Ｚｎ：０．３０質量％以下
Ｔｉ：０．２０質量％以下
Ａｌ及び不純物：残部
【００３８】
各元素の含有率を上記の範囲に設定することにより、押出材（１）の組織がその横断面全面に亘って微細な再結晶組織になる。その結果、切削加工品の寸法バラツキが小さくなる。なお、前記不純物としては、製造上不可避の不純物が例示される。
【００３９】
而して、上記押出材（１）は、Ｐｂを実質的に含有していないので、Ｐｂによる環境汚染を引き起こす虞はないという利点を有している。
【００４０】
さらに、上記押出材（１）は、押出加工後の組織において、すでにその横断面全面に亘って微細な再結晶組織を有している。そのため、押出材（１）に施す加工工程を簡素化することができて、製作コストを引き下げることができる。
【００４１】
上記押出材（１）において、各元素の作用及び各元素の含有率の限定理由について以下に説明する。
【００４２】
＜Ｓｉの作用＞
Ａｌ中へのＳｉ固溶量は少ないため、化合物形成に要する添加量以外のＳｉは、Ｓｉ単体粒子として材料中に分散する。また、ＳｉはＭｇと共存することにより、Ｍｇ２Ｓｉ等の析出物を生成して合金の強度を高め、更に共晶Ｓｉが分散されることにより、切削加工性を向上させる。
【００４３】
＜Ｓｉ含有率の限定理由＞
Ｓｉ含有率が０．３質量％未満の場合には、上記作用が少なく、切削加工性が低下する。一方、Ｓｉ含有率が１．０質量％を超える場合には、塑性加工性（押出性）が低下し、また切削工具の寿命が低下する。
【００４４】
＜Ｆｅの作用＞
Ｆｅは合金基地に固溶して、組織の再結晶化を抑制する。
【００４５】
＜Ｆｅ含有率の限定理由＞
Ｆｅが０．３５質量％を超える場合には、不均一な組織を生じる。そのため、切削加工を行った場合、切削加工品の寸法バラツキが大きくなる。
【００４６】
＜Ｃｕの作用＞
Ｃｕは合金基地に固溶するとともに、Ａｌと結合してＣｕＡｌ２等の析出物として材料中に分散する。Ｃｕ添加は、機械的特性を向上させ、また他の固溶型元素との相乗効果により、切削加工性を一層向上させる。
【００４７】
＜Ｃｕ含有率の限定理由＞
Ｃｕ含有率が０．１質量％未満の場合には、上記作用が少なく、切削加工性が低下する。一方、Ｃｕ含有率が０．５質量％を超える場合には、塑性加工性（押出性）や耐食性が低下する。
【００４８】
＜Ｍｎの作用＞
Ｍｎは合金基地に固溶して、組織の再結晶化を抑制する。
【００４９】
＜Ｍｎ含有率の限定理由＞
Ｍｎ含有率が０．０７質量％を超える場合には、不均一な組織を生じる。そのため、切削加工を行った場合、切削加工品の寸法バラツキが大きくなる。
【００５０】
＜Ｍｇの作用＞
Ｍｇは合金基地に固溶するとともに、過剰Ｓｉ等と結合してＭｇ２Ｓｉ等の析出物として材料中に分散する。Ｍｇ添加は、機械的特性、特に耐力を向上させ、また他の固溶型元素との相乗効果により、切削加工性を一層向上させる。
【００５１】
＜Ｍｇ含有率の限定理由＞
Ｍｇ含有率が０．６質量％未満では、上記作用が少なく、切削加工性が低下する。一方、Ｍｇ含有率が１．５質量％を超える場合には、合金溶湯の酸化がＭｇによって促進され、また塑性加工性（押出性）が低下する。
【００５２】
＜Ｃｒの作用＞
Ｃｒは合金基地に固溶して、組織の再結晶化を抑制する。
【００５３】
＜Ｃｒ含有率の限定理由＞
Ｃｒ含有率が０．１０質量％を超える場合には、不均一な組織を生じる。そのため、切削加工を行った場合、切削加工品の寸法バラツキが大きくなる。
【００５４】
＜Ｚｎの作用＞
Ｚｎは合金基地に固溶するとともに、Ｍｇと結合してＭｇＺｎ２等の析出物として材料中に分散する。Ｚｎ添加は、機械的特性を向上させ、また他の固溶型元素との相乗効果により、切削加工性を向上させる。
【００５５】
＜Ｚｎ含有率の限定理由＞
Ｚｎ含有率が０．３０質量％を超える場合には、塑性加工性（押出性）や耐食性が低下する。
【００５６】
＜Ｔｉの作用＞
Ｔｉは鋳造組織を微細化し、微細な晶出物を形成して切削加工性を向上させる。
【００５７】
＜Ｔｉ含有率の限定理由＞
Ｔｉが０．２０質量％を超える場合には、ビレット鋳造時の鋳造性が低下し、また粗大化合物の晶出により押出材に欠陥が生じ易くなる。
【００５８】
特に、本発明では、Ｍｎ及びＣｒ含有率をそれぞれ下記の範囲に設定することが望ましい。
【００５９】
Ｍｎ：０．０４質量％以下
Ｃｒ：０．０７質量％以下
【００６０】
Ｍｎ及びＣｒ含有率を上記の範囲に設定することにより、押出材（１）の組織がその横断面全面に亘って確実に微細な再結晶組織になる。そのため、切削加工品（２）の寸法バラツキを確実に小さくすることができる。
【００６１】
なお、Ｍｎ及びＣｒ含有率の下限値は、限定されるものではないが、それぞれＭｎ：０．００５質量％及びＣｒ：０．００５質量％であることが望ましい。その理由は、Ｍｎ及びＣｒ含有率がこの値未満である場合には、押出材（１）の材料として高純度塊を使用しなければならなくなるため、製造コストが高く付いてしまうからである。また、一部返り材を使用する等を考慮すると、Ｍｎ及びＣｒ含有率の特に望ましい範囲は、それぞれＭｎ：０．０２〜０．０４質量％及びＣｒ：０．０２〜０．０７質量％である。
【００６２】
さらに、本発明では、Ｆｅ含有率を下記の範囲に設定することが望ましい。
【００６３】
Ｆｅ：０．２質量％以下
【００６４】
Ｆｅ含有率を上記の範囲に設定することにより、押出材（１）の組織がその横断面全面に亘って更に確実に微細な再結晶組織になる。そのため、切削加工品（２）の寸法バラツキを更に確実に小さくすることができる。
【００６５】
なお、Ｆｅ含有率の下限値は、限定されるものではないが、Ｆｅ：０．００５質量％であることが望ましい。その理由は、Ｆｅ含有率がこの値未満である場合には、押出材（１）の材料として高純度塊を使用しなければならなくなるため、製造コストが高く付いてしまうからである。また、一部返り材を使用する等を考慮すると、Ｆｅ含有率の特に望ましい範囲は、Ｆｅ：０．１〜０．２質量％である。
【００６６】
さらに、本発明では、Ｓｉ、Ｃｕ、Ｍｇ、Ｚｎ及びＴｉ含有率をそれぞれ下記の範囲に設定するのが望ましい。
【００６７】
Ｓｉ：０．４０〜０．８質量％
Ｃｕ：０．１５〜０．４０質量％
Ｍｇ：０．８〜１．２質量％
Ｚｎ：０．２５質量％以下
Ｔｉ：０．１５質量％以下
【００６８】
さらに、本発明では、不純物中にＺｒが含有されている場合には、Ｚｒ含有率を０．１質量％以下（好ましくは０．０５質量％以下）に設定することが望ましい。こうすることにより、切削加工品（２）の寸法バラツキをより一層確実に小さくすることができる。
【００６９】
而して、上記押出材（１）を切削加工することにより、図２に示した切削加工品（２）が製作される。切削加工手段としては、本実施形態では旋削加工が用いられる。この旋削加工は、ＮＣ旋盤等の様々な旋盤により行われる。
【００７０】
なお本発明では、押出材（１）の切削加工手段は限定されるものではなく、加工手段として、前記の旋削加工をはじめ、平削り加工、フライス削り加工、穴開け加工、研削加工等の様々な切削加工が用いられる。
【００７１】
以上で、本発明の好ましい一実施形態について説明したが、本発明は上記実施形態に限定されるものではないことは言うまでもない。
【００７２】
【実施例】
次に、本発明の具体的な実施例及び比較例を説明する。
【００７３】
表１に示した組成（化学成分）を有するアルミニウム合金からなる押出用ビレットを常法に従い鋳造により製造した。このビレットの直径は２００ｍｍである。次いで、このビレットに均質化処理を施した。
【００７４】
【表１】
2004292847.tif 000003
【００７５】
なお、同表中の化学成分において、その他の不純物としては、Ｚｒ等が挙げられる。これらの不純物元素の含有率は、いずれも０．０５質量％以下に設定されている。
【００７６】
次いで、これらのビレットを押出機のコンテナに装填し、押出温度５１０℃及び押出速度２５ｍ／分の押出条件で、押出加工を行うことにより、直径１５ｍｍの長尺な丸棒状押出材を得た。この場合における押出性、押出材の組織の状態、結晶粒の最大粒径及び結晶粒の平均粒径をそれぞれ調査した。押出性の評価方法、押出材の組織の評価方法、結晶粒の最大粒径の測定方法及び結晶粒の平均粒径の測定方法は、それぞれ次のとおりである。
【００７７】
＜押出性の評価方法＞
押出材の表面欠陥の発生状況を調べ、押出性を評価した。
［評価基準］
○：表面欠陥なし
×：表面欠陥あり
【００７８】
＜押出材の組織の評価方法＞
押出材の横断面における組織の状態を目視にて観察した。
［評価基準］
○：全面微細な再結晶組織
×：再結晶組織と繊維組織とが混在した組織
【００７９】
＜結晶粒の最大粒径の測定方法＞
押出材の横断面を目視で観察し、最も大きいと思われる結晶粒５点を選択してそれらの粒径を測定した。そして、これらの測定値のうち最大値を結晶粒の最大粒径とした。
【００８０】
＜結晶粒の平均粒径の測定方法＞
押出材の横断面にその直径となる仮想直線を引いたとき、該直線上に１ｍｍ間隔で存在する結晶粒の断面積についての円相当直径を算出した。そして、これらの円相当直径の平均値を結晶粒の平均粒径とした。
【００８１】
次いで、これらの押出材に、直径が１２．５ｍｍになるように引抜加工を施してＴ３処理を行い、次いでこの押出材に人工時効処理を施してＴ８処理を行った。
【００８２】
これらの押出材を試験片とし、切削加工性及び切削加工品の寸法精度をそれぞれ調査した。切削加工性の試験方法及び切削加工品の寸法精度の評価方法は、それぞれ次のとおりである。
【００８３】
＜切削加工性の試験方法＞
超硬チップを用い、切削速度１５０ｍ／ｍｉｎ、送り速度０．２５ｍｍ／ｒｅｖ及び切込み量１．０ｍｍの切削条件で湿式切削を行った。この場合における切屑分断性（切屑１００ｇ当たりの切屑個数）を調べ、この切屑分断性をもって切削加工性を評価した。
［評価基準］
○：５０００個以上
×：５０００個未満
【００８４】
＜切削加工品の寸法精度の評価方法＞
各試験片を旋削加工することにより、図２に示した棒状切削加工品（２）をそれぞれ３０個ずつ製作した。次いで、切削加工品（２）の振れを測定し、この振れの精度（バラツキ）についての工程能力指数を算出し、この工程能力指数をもって切削加工品（２）の寸法精度を評価した。なお、この切削加工品（２）の寸法は、Ｌ＝１０ｍｍ、φ１＝８．２ｍｍ、φ２＝１２．２ｍｍである。
［評価基準］
切削加工品の振れの規格幅：２０μｍ以下
◎：工程能力指数１．３３以上
○：工程能力指数１．００以上１．３３未満
×：工程能力指数１．００未満
【００８５】
以上の評価結果を表２に示した。
【００８６】
【表２】
2004292847.tif 000004
【００８７】
同表に示すように、押出材の組成において、Ｓｉ、Ｆｅ、Ｃｕ、Ｍｎ、Ｍｇ、Ｃｒ、Ｚｎ及びＴｉ含有率が所定の範囲に設定されている場合には、該押出材はその横断面全面に亘って微細な再結晶組織を有するものとなるし、押出性が良く、また高い切削加工性を有していることを確認し得た。更には、この押出材を切削加工することにより、切削加工品の振れの精度（バラツキ）についての工程能力指数が高くなり、すなわち優れた寸法精度を有する切削加工品を製作できることを確認し得た。特に、Ｍｎ、Ｃｒ及びＦｅ含有率が、それぞれ、Ｍｎ：０．０４質量％、Ｃｒ：０．０７質量％及びＦｅ：０．２質量％以下である場合には、切削加工品の振れの精度が極めて高くなることを確認し得た。
【００８８】
【発明の効果】
上述の次第で、各項の発明は以下の効果を奏する。
【００８９】
［１］の発明によれば、優れた寸法精度を有する切削加工品を製作することができる押出材を提供できる。さらに、押出材に施す加工工程を簡素化することができて、製作コストを引き下げることができる。もとより、この押出材は、Ｐｂを含有していないので、Ｐｂによる環境汚染を防止することができる。
【００９０】
［２］〜［５］の発明によれば、更に優れた寸法精度を有する切削加工品を製作することができる押出材を提供できる。
【００９１】
［６］の発明によれば、優れた寸法精度を有するアルミニウム合金製切削加工品を提供できる。
【００９２】
［７］の発明によれば、優れた寸法精度を有するアルミニウム合金製自動車部品用バルブ材を提供できる。
【図面の簡単な説明】
【図１】本発明の一実施形態に係る切削加工用アルミニウム合金押出材の斜視図である。
【図２】同押出材が切削加工されることにより、製作された切削加工品の斜視図である。
【符号の説明】
１…押出材
２…切削加工品
【図１】
2004292847.tif 000005
【図２】
2004292847.tif 000006